(57)【特許請求の範囲】
【請求項１】
ベースと、アームと、両者間に位置される押さえ部材とを備え、
ベースとアームと押さえ部材はいずれも、前端を自由端とし、後端側に回動中心を持つように組み合わされ、
押さえ部材の自由端とベースの自由端との間に所定の間隔を形成させる第一付勢部材を備えると共に、
押さえ部材の自由端とアームの自由端との間に所定の間隔を形成させる第二付勢部材を備え、
押さえ部材の自由端とベースの自由端との間にシートの一部を位置させた状態から、第一付勢部材の付勢に抗して押さえ部材の自由端とベースの自由端とを前記シートの一部を介して突き合わせると共に、第二付勢部材の付勢に抗してアームの自由端と押さえ部材の自由端とを近接させることにより、前記シートの一部に止着を施すステープラーであって、
アームには前後方向に移動操作可能なスライダが備えられており、前記第一付勢部材及び第二付勢部材の付勢に抗してベースの自由端とアームの自由端とを近接させた所定の閉じ姿勢において、スライド前位置にあるスライダを移動させることにより、前記閉じ姿勢を維持するロック状態が作り出されるようになっており、
さらに、前記スライダは左右方向に沿った軸部を有しており、
前記アームには前記軸部を案内する前後方向に延びる長穴が設けられており、
前記押さえ部材には前記軸部を通す通し部が形成されており、この通し部はステープラーの閉じ姿勢においてアームの長穴に整合する前後方向に延びる第一部分と、第一部分の後端から分岐してアームの回動中心を巡る向きに延びる第二部分とを備えており、
前記ベースには、前記閉じ姿勢において、スライド前位置にあるスライダを前記軸部を長穴の前端に位置させるスライド後位置まで移動させたときに、前記軸部を後方から受け入れてこれに引っかかる係合部が備えられていることを特徴とするステープラー。
【請求項２】
ベースの外側に、前端を自由端とし、後端側に回動中心を持つパンチアームが備えられており、
ベースの自由端とパンチアームの自由端との間で挟持されるシートの一部につづり穴を開けるようになっていることを特徴とする請求項１に記載のステープラー。
【発明の詳細な説明】
【背景技術】
【０００１】
ベースと、アームと、両者間に位置される押さえ部材と、押さえ部材の自由端とベースの自由端との間に所定の間隔を形成させる第一付勢部材と、押さえ部材の自由端とアームの自由端との間に所定の間隔を形成させる第二付勢部材とを備え、押さえ部材の自由端とベースの自由端との間にシートの一部を位置させた状態から、第一付勢部材の付勢に抗して押さえ部材の自由端とベースの自由端とを前記シートの一部を介して突き合わせると共に、第二付勢部材の付勢に抗してアームの自由端と押さえ部材の自由端とを近接させることにより、前記シートの一部に止着を施すステープラーがある。
【０００２】
この種のステープラーは、前記第一付勢部材及び第二付勢部材の付勢により、通常は、アームとベースとの間の距離をこれらの自由端に向かうに連れて次第に大きくする開き姿勢をとる。
【発明の概要】
【発明が解決しようとする課題】
【０００３】
この発明が解決しようとする主たる問題点は、この種のステープラーにおいて、アームの自由端とベースの自由端とを近接させた所定の閉じ姿勢を合理的に解除可能に保持できるようにして、かかるステープラーの収納や持ち運びの利便性を向上させる点にある。
【課題を解決するための手段】
【０００４】
前記課題を達成するために、この発明にあっては、ステープラーを、ベースと、アームと、両者間に位置される押さえ部材とを備え、
ベースとアームと押さえ部材はいずれも、前端を自由端とし、後端側に回動中心を持つように組み合わされ、
押さえ部材の自由端とベースの自由端との間に所定の間隔を形成させる第一付勢部材を備えると共に、
押さえ部材の自由端とアームの自由端との間に所定の間隔を形成させる第二付勢部材を備え、
押さえ部材の自由端とベースの自由端との間にシートの一部を位置させた状態から、第一付勢部材の付勢に抗して押さえ部材の自由端とベースの自由端とを前記シートの一部を介して突き合わせると共に、第二付勢部材の付勢に抗してアームの自由端と押さえ部材の自由端とを近接させることにより、前記シートの一部に止着を施すステープラーであって、
アームには前後方向に移動操作可能なスライダが備えられており、前記第一付勢部材及び第二付勢部材の付勢に抗してベースの自由端とアームの自由端とを近接させた所定の閉じ姿勢において、スライド前位置にあるスライダを移動させることにより、前記閉じ姿勢を維持するロック状態が作り出されるようになっているものとした。
【０００５】
前記ベースの外側に、前端を自由端とし、後端側に回動中心を持つパンチアームを備えさせ、ベースの自由端とパンチアームの自由端との間で挟持されるシートの一部につづり穴を開けるようにしておくことが、この発明の好ましい態様の一つである。
【０００６】
また、前記スライダは左右方向に沿った軸部を有したものとし、前記アームには前記軸部を案内する前後方向に延びる長穴を設け、前記押さえ部材には前記軸部を通す通し部を形成し、この通し部を前記閉じ姿勢においてアームの長穴に整合する前後方向に延びる第一部分と、第一部分の後端から分岐してアームの回動中心を巡る向きに延びる第二部分とを備えたものとし、さらに前記ベースに、前記閉じ姿勢において、スライド前位置にあるスライダを前記軸部を長穴の前端に位置させるスライド後位置まで移動させたときに、前記軸部を後方から受け入れてこれに引っかかる係合部を備えさせておくことが、この発明の好ましい態様の一つである。
【発明の効果】
【０００７】
この発明によれば、ステープラーを、スライダの単純な操作によって、収納や持ち運びに都合の良い閉じ姿勢をとった状態に保つことができる。
【図面の簡単な説明】
【０００８】
【図１】図１はこの発明の一実施の形態にかかるステープラーの側面構成図であり、ステープラーは閉じ姿勢をとっている。
【図２】図２は前記ステープラーの斜視構成図であり、図１の状態からパンチアームを開いた様子を示している。
【図３】図３は前記ステープラーをパンチアームの側から見て示しており、レターオープナーを展開させた様子を想像線で示している。
【図４】図４は前記ステープラーの側面構成図であり、ステープラーは開き姿勢をとっている。
【図５】図５は前記ステープラーの構成部材を分離して示した斜視構成図である。
【図６】図６は前記ステープラーの断面構成図であり、ステープラーは閉じ姿勢をとっている。
【図７】図７は前記ステープラーの断面構成図であり、ステープラーは開き姿勢をとっている。
【図８】図８は図７の状態からベースと押さえ部材との間にシートを挟んだ状態を示した前記ステープラーの要部断面構成図である。
【図９】図９は図８の状態から閉じ姿勢に向けてアームを回動させ始めた様子を示した前記ステープラーの要部断面構成図、及び、このときのシートの要部の平面構成図（左下の図）である。
【図１０】図１０は図９の状態から閉じ姿勢に至った前記ステープラーの要部断面構成図である。
【図１１】図１１は図１０の状態から開き姿勢に向けたアームの復動が開始された直後の様子を示した前記ステープラーの要部断面構成図である。
【図１２】図１２は図１１の状態から開き姿勢に向けてさらにアームの復動がされた様子を示した前記ステープラーの要部断面構成図である。
【図１３】図１３は図１２の状態から開き姿勢に向けてさらにアームの復動がされた様子を示した前記ステープラーの要部断面構成図である。
【図１４】図１４は図１３の状態から開き姿勢に向けてさらにアームの復動がされて図８と同じ位置までアームが復動された様子を示した前記ステープラーの要部断面構成図であり、シートの止着完了状態を示している。
【図１５】図１５は図９の状態におけるシートの要部（Ａ図）及び図１４の状態におけるシートの要部（Ｂ図）を表したシートの要部斜視構成図である。
【発明を実施するための形態】
【０００９】
以下、図１〜図１５に基づいて、この発明の典型的な実施の形態について、説明する。この実施の形態にかかるステープラーは、紙などのシートＳの一部に止着を施して、複数枚のシートＳ、Ｓ…をとじ合わせるために用いられるものである。
【００１０】
図示の例では、ステープラーは、つづり針を使わずに、複数枚のシートＳ、Ｓ…をとじ合わせる構造を備えたものとなっている。図示は省略するが、この発明はつづり針を使って複数枚のシートＳ、Ｓ…をとじ合わせる公知の止着手段を備えたステープラーにも適用可能である。この場合には後述の押さえ部材３に相当する押さえ部材につづり針が装填され、ステープラーを閉じ姿勢にすることにより、この押さえ部材内に押し込まれる後述のアーム２に相当するアームの一部によって押さえ部材の自由端側に位置されるつづり針が打ち出され、この押さえ部材と後述のベース１に相当するベースとの間に挟まれたシートＳに打ち込まれると共に両端を内向きに変形されるつづり針によってこのシートＳに対する前記止着が施されることとなる。
【００１１】
かかるステープラーは、ベース１と、アーム２と、両者間に位置される押さえ部材３とを備えている。ベース１とアーム２と押さえ部材３はいずれも、前端を自由端１ａ、２ａ、３ａとし、後端１ｂ、２ｂ、３ｂ側に回動中心を持つように組み合わされている。ベース１とアーム２と押さえ部材３はいずれも、前後方向ｘに長く、左右方向ｙに短い形態を持っている。（図２）
【００１２】
図示の例では、ベース１は、押さえ部材３側に向いた内側面１ｃと、これと反対の外側面１ｄとを有している。ベース１の内側であって、その後端１ｂには、内側面１ｃから突き出す一対の軸受け部１ｅ、１ｅが、左右方向ｙにおいて両軸受け部１ｅ、１ｅの間に間隔を開けて設けられている。ベース１の前端１ａ側には、ステープラーの後述の閉じ姿勢において、押さえ部材３に組み合わされた止着手段４の一部をベース１の内部に受け入れる開口１ｇが形成されている。かかる開口１ｇと軸受け部１ｅとの間には、内側面１ｃに略直交する向きに突き出す縦部分１ｉと、この縦部分１ｉの突き出し端から後端側に突き出す横部分１ｊとを備えた係合部１ｈが形成されている。
【００１３】
また、この実施の形態にあっては、ベース１の外側に、前端５ａを自由端とし、後端５ｂ側に回動中心を持つパンチアーム５が備えられている。そして、ベース１の自由端とパンチアーム５の自由端との間にシートＳの一部を位置させた状態から、このシートＳの一部を介してベース１の自由端とパンチアーム５の自由端とを突き合わせることで、両者間で挟持されるかかるシートＳの一部につづり穴を開けるようになっている。図示の例では、かかるパンチアーム５によってシートＳの一部に丸穴が穿孔されるようになっている。図示の例では、パンチアーム５も、前後方向ｘに長く左右方向ｙに短い形態を有している。パンチアーム５の後端には、このパンチアーム５の一面側において、一対の軸受け部５ｃ、５ｃが、左右方向ｙにおいて両軸受け部５ｃ、５ｃの間に間隔を開けて設けられている。図示の例では、パンチアーム５の一対の軸受け部５ｃ、５ｃの間に、この軸受け部５ｃの内側に設けた軸孔５ｄにベース１の側部１ｋに設けた軸突起１ｍを納めた状態で、ベース１の後端１ｂ側が納められ、これによりベース１に対してパンチアーム５が前記軸突起１ｍを回動中心とした回動可能に組み合わされている。パンチアーム５の一面側の自由端には、このパンチアーム５の一面とベース１の外側面１ｄとを重なり合わせたパンチアーム５の閉じ姿勢（図６）において、ベース１の自由端に設けたパンチングプレート１ｐの受け孔１ｑに入り込む環状のパンチングブレード５ｅが備えられている。なお、パンチアーム５の閉じ姿勢は、ベース１の側部１ｋに設けた突起１ｎをパンチアーム５の軸受け部５ｃの内面に設けた凹部５ｆに係合させることで、解除可能に保持されるようになっている。
【００１４】
また、図示の例では、パンチアーム５の他面側には、レターオープナー６が備えられている。かかるレターオープナー６は概ね四辺を備えた板状をなし、一辺において開放されたスリット６ａの奥にこのスリット６ａに入れ込まれる封筒の縁部に対しカッティングを施す刃体６ｂを備えてなる。図示の例では、レターオープナー６は、前記スリット６ａに平行をなす辺を挟んだ隅部にそれぞれ軸突起６ｃを備えている。パンチアーム５の他面にはレターオープナー６の輪郭に倣った輪郭を備えた凹所５ｇが形成されている共に、この凹所５ｇ内に前記軸突起６ｃが回動可能に納まる軸孔５ｈが設けられている。かかるレターオープナー６は、前記凹所５ｇ内に納まった収納位置から前記軸突起６ｃを回動中心とした回動操作により展開され、この展開状態において封筒の開封の用に供される構造となっている。図示の例では、レターオープナー６は、前記回動の回動中心軸を前後方向ｘに沿わせるようにパンチアーム５に組み合わされている。
【００１５】
次に、図示の例ではアーム２は、前後方向ｘの各位置において、左右方向ｙの断面を概ね、ベース１に向けられた側を開放させたチャンネル状とするように構成されている。すなわち、図示の例では、アーム２は、背板部２ｃと左右の側板部２ｄ、２ｄとを備えている。アーム２の後端２ｂ側には、左右の側板部２ｄ、２ｄの内側にそれぞれアームシャフト７の端部のはめ込み部２ｅが形成されている。また、アーム２の前後方向ｘ中程の位置には、左右の側板部２ｄ、２ｄにそれぞれ、前後方向ｘに沿って続く長穴２ｆが設けられている。
【００１６】
次に、図示の例では、押さえ部材３は、前後方向ｘに長い左側板部３ｃ及び右側板部３ｄと、押さえ部材３の前端３ａを構成する前板部３ｅ及び後端３ｂを構成する後板部３ｆとを備えた、細長い枠状を呈している。
【００１７】
押さえ部材３の後端３ｂ側であって、アーム２に近い側には、左側板部３ｄ及び右側板部３ｃにそれぞれ、アームシャフト７を通す軸穴３ｇが形成されている。押さえ部材３は、この軸穴３ｇに通したアームシャフト７の端部をそれぞれ前記アーム２のはめ込み部２ｅにはめ込むことで、アーム２と組み合わされている。
【００１８】
また、押さえ部材３の後端３ｂ側であって、ベース１に近い側には、左側板部３ｃ及び右側板部３ｄにそれぞれ、外側に突き出す軸突起３ｈが形成されている。押さえ部材３は、ベース１の軸受け部１ｅに設けた軸穴１ｆにこの軸突起３ｈを嵌め入れることで、ベース１と組み合わされている。
【００１９】
すなわち、図示の例では、押さえ部材３を介して、間接的にアーム２とベース１とが組み合わされている。図示の例では、ベース１の左右の軸受け部１ｅ、１ｅ間に押さえ部材３の後端３ｂが納まり、さらに、ベース１の左右の軸受け部１ｅ、１ｅはアーム２の左右の側板部２ｄ、２ｄ間に納まるようになっている。
【００２０】
また、押さえ部材３には後述のスライダ１０の軸部１０ａを通す通し部３ｉが形成されている。図示の例では、この通し部３ｉは、押さえ部材３の前後方向ｘ略中程の位置と後端３ｂとの間において、左側板部３ｄと右側板部３ｃとにそれぞれ設けられている。この通し部３ｉは後述のステープラーの閉じ姿勢においてアーム２の長穴２ｆに整合する前後方向ｘに延びる第一部分３ｊと、第一部分３ｊの後端３ｋから分岐してアーム２の回動中心を巡る向きに延びる第二部分３ｎとを備えている。（図７）図示の例では、第二部分３ｎは、第一部分３ｊの後端３ｋからアーム２の側に向かって延びている。
【００２１】
前記押さえ部材３とベース１との間には、両者の自由端間、すなわち、前端１ａ、３ａ間に所定の間隔を形成させる第一付勢部材８が備えられている。図示の例では、第一付勢部材８は、ベース１の後端１ｂ側と押さえ部材３の後端３ｂ側との間に介装された圧縮コイルバネによって構成されている。
【００２２】
また、ステープラーは、前記押さえ部材３の自由端とアーム２の自由端との間に所定の間隔を形成させる第二付勢部材９を備えている。図示の例では、止着手段４を構成する圧縮コイルバネ４ｇがかかる第二付勢部材９として機能するようになっている。
【００２３】
かかる第一付勢部材８及び第二付勢部材９により、ステープラーは、アーム２とベース１とが自由端側に向かうに連れて次第に両者間の距離を大きくすると共に、これらの略中間に押さえ部材３を配した開き姿勢をとるようになっている。（図４、図７）
【００２４】
図示の例では、止着手段４は、押さえ部材３の前端３ａと通し部３ｉとの間に位置される箇所に備えられている。止着手段４は、（１）押さえ部材３の左側板部３ｄと右側板部３ｃとの間において、この押さえ部材３の高さ方向ｚに移動可能に支持された可動部材４ａと、（２）シートＳに左右方向ｙに長い切れ目Ｓｂを形成するサブブレード４ｂと、（３）シートＳに片仮名のコ字状の切れ目Ｓａを形成するメインブレード４ｅと、（４）前記第二付勢部材９となる圧縮コイルバネ４ｇと、（５）前記コ字状の切れ目Ｓａにより区分されたシートＳの一部Ｓｃを折り返すための折り返しアーム４ｈと、（６）この折り返しアーム４ｈの制御用の圧縮コイルバネ４ｍとを備えている。
【００２５】
サブブレード４ｂは細長板状をなし、その一端を可動部材４ａの前後方向ｘ中程の位置に固定し、他端に刃部４ｃを備え、板面を左右方向ｙに沿わせており、このサブブレード４ｂにより可動部材４ａは前後に二分されている。
【００２６】
前記第二付勢部材９となる圧縮コイルバネ４ｇは、サブブレード４ｂの後方においてバネ一端を可動部材４ａに突き当て且つバネ他端を押さえ部材３に形成された受け部３ｐに突き当てた状態で、可動部材４ａと押さえ部材３との間に介装されている。この第二付勢部材９となる圧縮コイルバネ４ｇの付勢により可動部材４ａはアーム２の背板部２ｃの内側に設けられた当接部２ｉに常時接するようになっている。
【００２７】
メインブレード４ｅは、その幅方向の断面をその長さ方向に亘る各位置においてそれぞれ前記コ字状としたチャンネル状体である。メインブレード４ｅはサブブレード４ｂの前側において、そのチャンネルの開放側をメインブレード４ｅの前面に向けた状態で、その一端を可動部材４ａに固定させており、他端に刃部４ｆを備えている。
【００２８】
折り返しアーム４ｈは、メインブレード４ｅの内側において、左右方向ｙに沿った軸４ｉをもってこのメインブレード４ｅに回動可能に組み合わされている。折り返しアーム４ｈは、前記軸４ｉよりメインブレード４ｅの刃部４ｆ側に延びる第一腕部４ｊと、前記軸よりサブブレード４ｂ側に突き出す第二腕部４ｋとを備えたレバー状を呈している。
【００２９】
制御用の圧縮コイルバネ４ｍは、バネ一端を可動部材４ａに突き当て且つバネ他端を折り返しアーム４ｈの第二腕部４ｋに突き当てた状態で、可動部材４ａとこの第二腕部４ｋの間においてメインブレード４ｅに巻装されている。
【００３０】
ステープラーが開き姿勢にある状態（図７）から、押さえ部材３の自由端とベース１の自由端との間にシートＳの一部を位置させた後、第一付勢部材８の付勢に抗して押さえ部材３の自由端とベース１の自由端とを前記シートＳの一部を介して突き合わせるようにステープラーを操作し、（図８）さらに、第二付勢部材９の付勢に抗してアーム２の自由端と押さえ部材３の自由端とを近接させると、可動体はベース１側に移動し、押さえ部材３から突き出されると共に開口１ｇを通じてベース１内にその刃部４ｃ、４ｆ側を入り込ませるメインブレード４ｅとサブブレード４ｂとによりシートＳに前記コ字状の切れ目Ｓａと左右方向ｙに長い切れ目Ｓｂとが施される。（図９）この後、さらに、前記第一付勢部材８及び第二付勢部材９の付勢に抗してベース１の自由端とアーム２の自由端とを近接させた所定の閉じ姿勢（図１０）に向けてステープラーを操作すると、先ず、折り返しアーム４ｈの第一腕部４ｊにより前記コ字状の切れ目Ｓａによって区分されたシートＳの一部Ｓｃがベース１内に押し込まれ、（図９）次いで、折り返しアーム４ｈの第二腕部４ｋが押さえ部材３の突き当たり部３ｑに突き当たって第一腕部４ｊの自由端をサブブレード４ｂに近接させる向きに折り返しアーム４ｈが回動され、この回動により前記シートＳの一部Ｓｃがサブブレード４ｂの刃部４ｃ側に設けた窓穴４ｄに押し込まれるようになっている。（図１０）前記閉じ姿勢を維持させるステープラーの操作を止めると、第二付勢部材９の付勢によりベース１内からメインブレード４ｅ及びサブブレード４ｂを抜け出させる向きに可動体は移動されるが、前記シートＳの一部Ｓｃはサブブレード４ｂの窓穴４ｄに入り込んでいるため、シートＳのベース１側の面から押さえ部材３側の面に入り込む。（図１２から図１３）ステープラーが前記開き姿勢に復帰する過程で前記シートＳの一部Ｓｃはサブブレード４ｂの窓穴４ｄから抜け出されるが前記切れ目Ｓｂからは抜け出さないのでこのシートＳの一部Ｓｃによって重ね合わされたシートＳ同士の止着がなされる。（図１４）図示の例では、開き姿勢への復動に伴って、折り返しアーム４ｈは前記軸４ｉより後方において第二腕部４ｋに作用される制御用の圧縮コイルバネ４ｍの付勢により回動前の位置に復帰するようになっている。
【００３１】
また、前記アーム２には前後方向ｘに移動操作可能なスライダ１０が備えられている。このスライダ１０は左右方向ｙに沿った軸部１０ａを有している。図示の例では、かかるスライダ１０は、アーム２の前記長穴２ｆ及び押さえ部材３の前記通し部３ｉに挿通可能な太さを備えた前記軸部１０ａと、この軸部１０ａの一端に備えられた前記長穴２ｆに挿通不能な大きさを備えた頭部１０ｂと、この軸部１０ａの他端に取り付けられる前記長穴２ｆに挿通不能な大きさを持った抜け止め部材１０ｃとから構成されている。そして、図示の例では、スライダ１０の軸部１０ａを、その頭部１０ｂがアーム２の側板部の外面に突き当たる位置まで、アーム２の一方側の長穴２ｆと、アーム２内に位置される押さえ部材３の通し部３ｉと、アーム２の他方側の長穴２ｆとに通した状態から、この他方側の長穴２ｆから突き出される軸部の他端に前記抜け止め部材１０ｃを取り付けることで、アーム２及び押さえ部材３にスライダ１０を組み合わせている。
【００３２】
そして、この実施の形態にあっては、前記第一付勢部材８及び第二付勢部材９の付勢に抗してベース１の自由端とアーム２の自由端とを近接させた所定の閉じ姿勢において、スライド前位置にあるスライダ１０を移動させることにより、前記閉じ姿勢を維持するロック状態が作り出されるようになっている。（図１〜図３、図６）
【００３３】
図示の例では、スライダ１０の軸部１０ａがアーム２の長穴２ｆの後端２ｇに位置されるとき、この軸部１０ａは押さえ部材３の通し部３ｉの第二部分３ｎに位置されるようになっている。この第二部分３ｎは前記のように第一部分３ｊの後端３ｋから分岐してアーム２の回動中心を巡る向きに延びることから、この回動中心を中心としたアーム２の回動は第二部分３ｎの長さの範囲で許容される。従って、スライダ１０の軸部１０ａがアーム２の長穴２ｆの後端２ｇに位置されるとき、ステープラーは閉じ姿勢と開き姿勢との間に亘る往復動作、つまり、シートＳに止着を施す操作可能な状態にある。すなわち、図示の例では、スライダ１０の前記スライド前位置において、（図７）スライダ１０の軸部１０ａはアーム２の長穴２ｆの後端２ｇに位置される。押さえ部材３の通し部３ｉの第一部分３ｊは前後方向ｘに延びると共に、ステープラーの前記閉じ姿勢においてアーム２の長穴２ｆに整合する。したがって、ステープラーを閉じ姿勢にした状態からスライダ１０は前記スライド前位置より軸部１０ａを前記長穴２ｆ及び第一部分３ｊの前端３ｍに位置させる位置まで前方に移動させることができる。これにより、アーム２の自由端と押さえ部材３の自由端とを近接させた状態が維持される。また、前記ベース１には、閉じ姿勢において、スライド前位置にあるスライダ１０を前記軸部１０ａを長穴２ｆの前端２ｈに位置させるスライド後位置まで移動させたときに、前記軸部１０ａを後方から受け入れてこれに引っかかる係合部１ｈが備えられている。このスライダ１０の移動操作は、アーム２の左右の側板部２ｄ、２ｄの外側に位置されるスライダ１０の頭部１０ｂと抜け止め部材１０ｃとを利用して円滑に行うことができる。図示の例では、かかる係合部１ｈは、押さえ部材３の内部に常時その一部を位置させるようになっていると共に、ステープラーを前記閉じ姿勢にしたときにスライダ１０の軸部１０ａは係合部１ｈの横部分１ｊよりもベース１側に位置されるようになっている。したがって、ステープラーを閉じ姿勢にした状態からの前記スライド後位置までのスライダ１０の移動は係合部１ｈにより妨げられることはなく、また、スライダ１０がスライド後位置まで移動されると係合部１ｈの横部分１ｊに第一付勢部材８の付勢により軸部が引っかかる。これにより、ベース１の自由端と押さえ部材３の自由端とを最も近接させた状態が維持される。この実施の形態にあっては、前記ステープラーを、スライダ１０の単純な操作によって、収納や持ち運びに都合の良い閉じ姿勢をとった状態に保つことができる。この閉じ姿勢においては、アーム２、押さえ部材３及びベース１は可動しない状態に置かれるので、ベース１の外側に備えられた前記パンチアーム５の操作によるシートＳへのつづり穴の穿孔をスムースになすことができる。スライド後位置にあるスライダ１０をスライド前位置まで復動させると、第一付勢部材８及び第二付勢部材９の付勢によって閉じ姿勢にあったステープラーは速やかに開き姿勢に復帰する。
【００３４】
なお、本発明は、上記の実施例に限定されるものではなく、請求の範囲に記載された発明の概念に含まれる全ての態様を含むものである。
【符号の説明】
【００３５】
１  ベース
２  アーム
８  第一付勢部材
９  第二付勢部材
１０  スライダ
【図１】
0005913213.tif 000002
【図２】
0005913213.tif 000003
【図３】
0005913213.tif 000004
【図４】
0005913213.tif 000005
【図５】
0005913213.tif 000006
【図６】
0005913213.tif 000007
【図７】
0005913213.tif 000008
【図８】
0005913213.tif 000009
【図９】
0005913213.tif 000010
【図１０】
0005913213.tif 000011
【図１１】
0005913213.tif 000012
【図１２】
0005913213.tif 000013
【図１３】
0005913213.tif 000014
【図１４】
0005913213.tif 000015
【図１５】
0005913213.tif 000016